(57)【要約】【課題】  装飾性を有する、添付可能なメッセージカードを提供する。【解決手段】  ベース本体及び各可動片は各可動片を折り返した状態で花やリボン等の装飾的な任意形状を形成するもので、裏面に接着部があり、プレゼント等に添付することによって、装飾機能とメッセージカードの機能を合わせ持つ事を特長とするメッセージ具。【選択図】図１
0003153276.tif 000002
【実用新案登録請求の範囲】
【請求項１】
シート状のベース本体と、該ベース本体の任意の辺から折り返し部を介して設けられた複数の可動片と、前記各可動片を係止する係止部分と、ベース本体あるいは可動片の少なくともどちらか一方に設けられたメッセージやイラスト等の記載部と、前記ベース本体を任意の包装物に取り付ける取付機構手段より構成され、前記記載部は各可動片を折り返した状態で可動片により隠れると共に、可動片を開いた状態で目視可能な位置に取付けられたものであり、ベース本体及び各可動片は各可動片を折り返した状態で花やリボン等の任意形状を形成するものである事を特長とするメッセージ具。
【請求項２】
前記メッセージの記載部を隠すため付帯されている可動片が、折り返し部で容易に開閉できるよう、ベース本体の記載部裏面にある接着層に厚みを設ける、または折り返し部に接近しない接着層を有した請求項１に記載されたメッセージ具。
【請求項３】
前記メッセージの記載部を隠すため付帯されている可動片が、容易に開かないように各左右の可動片端部に係止部を設けた請求項１または２に記載されたメッセージ具。
【考案の詳細な説明】
【技術分野】
【０００１】  本考案は、プレゼントを装飾する花やリボンなどの装飾機能とメッセージカードの機能を合わせ持つカードに関する。
【背景技術】
【０００２】  従来のメッセージカードは、メッセージを伝えるカードとして利用するもので、プレゼントにメッセージを添えたい時はラッピング内に封入するか、別途渡すというものであった。
【考案の開示】
【考案が解決しようとする課題】
【０００３】  そのために次のような問題があった。
プレゼントに手書きのメッセージを添えたいと思っても、メッセージカードを用意していなかった為に、同封する事をあきらめる人があった。
【課題を解決するための手段】
【０００４】  そこで、本考案のメッセージ具は、シート状のベース本体と、該ベース本体の任意の辺から折り返し部を介して設けられた複数の可動片と、前記各可動片を係止する係止部分と、ベース本体あるいは可動片の少なくともどちらか一方に設けられたメッセージやイラスト等の記載部と、前記ベース本体を任意の包装物に取り付ける取付手段より構成され、前記記載部は各可動片を折り返した状態で可動片により隠れると共に、可動片を開いた状態で目視可能な位置に取付けられたものであり、ベース本体及び各可動片は各可動片を折り返した状態で花やリボン等の任意形状を形成するものである事を特長とする。【０００５】  また、本考案のメッセージ具は、上記考案において、前記メッセージの記載部を隠すため付帯されている可動片が、折り返し部で容易に開閉できるよう、ベース本体の裏面にある接着層に厚みを設ける、または折り返し部に接近しない接着層を有したことを特徴とする。【０００６】  また、本考案のメッセージ具は、上記考案において、前記メッセージの記載部を隠すため付帯されている可動片が、容易に開かないように各左右の可動片端部に係止部を設けたことを特徴とする。【０００７】より具体的には、本考案は、上記の問題を解決するために、プレゼント装飾に用いるようなリボンや花等を模したカード本体（１）の中央部にメッセージを書き込める記載部（２）を設け、可動片（４ａ、４ｂ）を折り返し部（３ａ、３ｂ）で折り、メッセージを書込んだ記載部（２）が、容易に開いたりしないように係止部（５ａ、５ｂ）にて係止する構成よりなる。
【考案の効果】
【０００８】  本考案は、カード本体が、リボンや花などを模した装飾でもあるのでラッピングした外側に添付される。従ってプレゼント購入後に購入者がゆっくりとメッセージを書き込める。【０００９】  カードが、リボンや花などを模した装飾なので、店員のリボンを結ぶ手間が省けカードとリボンを用意していた店では、リボンを購入しなくてもよいのでコストダウンにもなる。
【考案の実施するための最良の形態】
【００１０】  以下、本考案の第一実施の形態について図１〜図３をもちいての形態を説明する。
本考案はシート状のベース本体（１）と、可動片（４ａ、４ｂ）と、可動片を係止する係止機構（５ａ、５ｂ）、ベース本体（１）に設けられた、任意包装への接着層（６）とより構成されている。ベース本体（１）は紙や任意のペンで記入可能な記載部（２）を有したシート状のものである。図１に示すように、ベース本体の下辺左右はリボンが、垂れ下がったように垂下部が形成されている。可動する折り返し片（４ａ、４ｂ）は、ベース本体（１）の中央部から延設されたものであり、折り返し部が幅広で、先端が結び目を憶測させるような形状に近似したものである。
また折り返し片の先端には切込みを介して設けられた突出部が設けられている。この際この突出部と切込みが係止機構（５ａ、５ｂ）の役割を果たし、相互で開閉可能に係止できるものである。係止部に接着層が設けられていてもよいし、係止部を小さなシールなどで止めてベース本体の裏面には、図２に示すように接着層（６）が設けられている。この粘着層には利用前には剥離紙が設けられている。
【００１１】本考案は、メッセージの記載部（２）を隠すため付帯されている可動片（４ａ、４ｂ）が、折り返し部（３ａ、３ｂ）で容易に開閉できるよう、ベース本体（１）の裏面にある接着層（６）に厚みを設ける、または折り返し部（３ａ、３ｂ）に接近しない接着層（６）を有している。
【００１２】本考案は、以上の形態に限定されるものではなく、折り返し片の数や外形の形状は本考案の目的を果たすものでよい。図４は、花の形などのデザインにより記載部（２）を隠す可動片（４ａ、４ｂ）が多数になった場合のデザイン例であり、図５は、図４の可動片（４ａ、４ｂ）を閉じた状態の形状である。また、係止部に接着層が設けられていてもよいし、係止部を小さなシールなどで止めてもよい。
尚、図１においては、ベース本体中央部にメッセージやイラスト等を記入できる記載部（２）となっている。この記載部は可動片（４ａ、４ｂ）内側に設けることも可能である。また、あらかじめ任意のメッセージなどを印刷したものであってもよい。記入部の構成としては、前記説明したように任意のペンで素材に直接記入できるものであってもよいし記載層を設ける方法など、従来文字記入に利用される構造であればよい。
本考案は以上の構成よりなる。
これを使用する時は、記載部に名前や任意のメッセージなどを記入し、通常のプレゼント用に包装したあとリボンをかけるように、包装後、カード裏面にある剥離紙を剥がし、図３のようにプレゼントを装飾するように貼付ける。
【考案の効果】
【００１３】本考案は、カード本体が装飾になるので、プレゼント用に包装したあと装飾用にカードを貼付けるだけでよいのでリボンをかける手間が省け、また購入者は購入後にゆっくりとメッセージを書き込める。
【図面の簡単な説明】
【００１４】
【図１】本考案の表平面図である。
【図２】本考案の裏平面図である。
【図３】本考案を付着した状態の斜視図である。
【図４】本考案の例、カード開時平面図である。
【図５】本考案の例、カード閉時平面図である。
【符号の説明】
【００１５】１  ベース本体
２  記載部
３  折り返し部
４  可動片
５  係止部
６  接着層
【図１】
0003153276.tif 000003
【図２】
0003153276.tif 000004
【図３】
0003153276.tif 000005
【図４】
0003153276.tif 000006
【図５】
0003153276.tif 000007